(57)【特許請求の範囲】
【請求項１】
シャッターとシャッターのガイドレールとの間に設けてあり、閉鎖したシャッターを自動的に施錠するロック機構と、シャッターの屋内側に回動自在に設けてあり、回動操作により施錠を解除する解錠部材と、シャッターの屋外側に設けてあり、キー操作により押し込み可能な状態と押し込み不可能な状態に切り替えることのできる解錠ボタンとを備え、解錠ボタンは、シャッターを貫通して解錠部材に当接可能に設けてあり、押し込まれた解錠ボタンが解錠部材を押動し、解錠部材が施錠を解除する位置まで回動することを特徴とするシャッターの施錠装置。
【発明の詳細な説明】
【０００１】
【発明の属する技術分野】
本発明は、シャッターの施錠装置に関する。
【０００２】
【従来の技術】
シャッターの施錠装置の一つの形態として、特開平８−１０９７８０号公報に開示されているようなものがある。この施錠装置は、シャッターを昇降案内するガイドレールの下端にラッチ掛りを設け、シャッター下端部の座板の両側にラッチ掛りと係合するラッチ体を設け、シャッターを閉鎖すると自動的にラッチ体がラッチ掛りに係止して施錠される。また、座板にはラッチ体の係止を解くための解除レバーを、シャッターカーテンを開放するための引き手を兼ねるように座板の長手方向に沿って設けてあり、この引き手を持ってシャッターカーテンを上げれば、自動的に施錠が解除されてシャッターを開放できる。
【０００３】
【発明が解決しようとする課題】
上記の施錠装置は、施錠と解錠をいちいち行う必要がなく、とても便利なものであったが、解除レバーを設けた屋内側でしか解錠できない。つまり、従来のこの手の施錠装置を備えるシャッター装置は、屋外側からシャッターを開けることができなかった。
【０００４】
本発明は、この欠点を克服し、操作性と防犯性に優れたシャッターの施錠装置を提供することを目的とする。
【０００５】
【課題を解決するための手段】
上記の課題を達成するために、本発明によるシャッターの施錠装置は、シャッターとシャッターのガイドレールとの間に設けてあり、閉鎖したシャッターを自動的に施錠するロック機構と、シャッターの屋内側に回動自在に設けてあり、回動操作により施錠を解除する解錠部材と、シャッターの屋外側に設けてあり、キー操作により押し込み可能な状態と押し込み不可能な状態に切り替えることのできる解錠ボタンとを備え、解錠ボタンは、シャッターを貫通して解錠部材に当接可能に設けてあり、押し込まれた解錠ボタンが解錠部材を押動し、解錠部材が施錠を解除する位置まで回動することを特徴とする。
【０００６】
【発明の実施の形態】
以下、本発明の実施の形態を図面に基づいて説明する。図１は、本発明による施錠装置を備えるシャッター装置を、屋外側から見た正面図である。このシャッターの施錠装置は、シャッター１の最下部に設けた座板６とシャッターのガイドレール２との間に、シャッター１を閉鎖した時に自動的に施錠するロック機構３を備えており、座板６の屋内側の面には、ロック機構３の施錠を解除するための解錠部材４を有する。また、シャッター１の屋外側には、解錠部材４を動作させてロック機構３の施錠を解除できる屋外側解錠部材７を有する。
【０００７】
まず、図４と図５に即して、ロック機構３の仕組みについて述べる。ロック機構３は、座板６の屋内側の面の左右両側に設けたラッチ体８と、ガイドレール２に設けたラッチ掛り９とから成る。両側のロック機構３は左右対象であり、以下は左側のものについて説明する。ラッチ体８は、鉄板を二重に折り曲げて形成したホルダー１０に、係止金具１１とストッパー金具１２をピン１３，１４で回転可能に軸支してある。係止金具１１は、ガイドレール２側に二股に形成した係止溝１５を有し、反対側にストッパー金具１２のための第一、第二の二つの係止部１６，１７を有する。ストッパー金具１２には、係止金具１１の係止部１６，１７に係止する爪部１８と、ホルダー１０の外側に下方に向けて斜めに伸びる解除レバー１９を有する。係止金具１１とストッパー金具１２の上部には板バネ２０を渡してあり、係止金具１１が左回り、ストッパー金具１２が右回りに付勢してある。ラッチ掛り９は、断面コの字形のベース体２１に係止軸２２を架け渡したもので、シャッター１を閉鎖した時に、ベース体２１の間にラッチ体８が進入する位置に、ガイドレール２に固定してある。なお、図中の２３はシャッタースラットとの連結部であり、２４はゴム製のクッションである。
【０００８】
シャッター１を開けた状態では、ラッチ体８は図４（ロ）の状態となっており、係止金具１１の係止溝１５が下方に向けて開口し、第一係止部１６にストッパー金具１２の爪部１８が係止している。シャッター１を下ろしてくると、係止溝１５にラッチ掛り９の係止軸２２が進入し、係止金具１１が右回りに回転し、係止溝１５が真横を向いたところで、第二係止部１７に爪部１８が係止してロックが掛かり、図４（イ）に示すように、係止溝１５に係止軸２２が係止して施錠される。このように本ロック機構３は、シャッターを閉鎖することで、自動的に施錠される。施錠を解除するには、ストッパー金具１２を左回りに僅かに回転させることで、爪部１８が第二係止部１７から外れて係止金具が左回りに回転して図４（ロ）の状態に復帰し、施錠が解除される。
【０００９】
施錠の解除を行うのは、座板６の屋内側に設けた解錠部材４である。解錠部材４は、座板６の長手方向に沿った横長の部材で、上部に形成した連結部２５に、座板６に突設した取付片２６を嵌合させて回動自在に取り付けてある。なお、連結部２５と取付片２６の間には、図示しない捩りバネを介在してあって、解錠部材４は下向きに付勢してある。解錠部材４の左右両側の下部には解除バー２７が突出しており、解除バー２７は、ストッパー金具１２の解除レバー１９の内側に伸びている。解錠部材４は、屋内側からシャッター１を上げる際の把手を兼ねており、解錠部材４の下部に手を掛けてシャッター１を上げようとすると、図５（ロ）に示すように、解錠部材４が上方に向けて回動し、解除バー２７が解除レバー１９を押し上げてストッパー金具１２を左回りに回転させるから、先に述べた通りロック機構３の施錠が解除されることとなる。
【００１０】
座板６の屋外側の面には、図２に示すような屋外側解錠部材７を設けてある。屋外側解錠部材７は、座板６に固定したケース体２８に、シリンダー錠２９と解錠ボタン５を横並びに有する。ケース体２８には、下部に把手３０を一体に形成してある。解錠ボタン５は、先端部が座板６を貫通して屋内側に突出しており、解錠ボタン５を押し込むと、図３（ロ）に示すように、屋内側の解錠部材４が上方に向けて回動し、先に述べたロック機構３の施錠を解除できるようになっている。また解錠ボタン５は、バネ３１によって屋外側に突出する状態に付勢されている。シリンダー錠２９は、鍵孔３２にキーを差し込んで回すことでデッドボルト３３が解錠ボタン５に出没し、解錠ボタン５を押し込み可能な状態と押し込み不可能な状態とに切り替えることができる。押し込み不可能な状態となっていれば、屋外側からシャッターを開けることはできない。
【００１１】
本発明のシャッターの施錠装置は以上のような構成となっており、シャッター１を閉めると自動的に施錠され、シャッター１を開ける時は、屋内側からであれば解錠部材４に手を掛けて回動するだけで解錠でき、屋外側からであれば、シリンダー錠２９を操作して、押し込み可能な状態にした解錠ボタン５を押し込むことで解錠できる。なお解錠ボタン５は、押し込み操作部とシャッター貫通部と解錠部材当接部とが連動して動くものであれば、必ずしも一体成形されたものである必要はなく、形状や構成は適宜変更できる。
【００１２】
本発明のシャッターの施錠装置は、以上に述べた実施形態に限定されない。ロック機構の詳細な構造は若干異なっていても良い。また、上下方向に開閉するシャッターに限らず、横方向に開閉するシャッターに利用することもできる。屋内側に設ける解錠部材は、例えば横方向に開閉するシャッターの場合には、垂直軸回りに回動自在に設けることとなり、シャッターの開閉方向に応じて回動方向が変更される。
【００１３】
【発明の効果】
本発明によるシャッターの施錠装置は、シャッターを閉鎖すると自動的に施錠されるので、鍵を掛け忘れることがない。屋内側からは解錠部材を回動させることで簡単に解錠でき、屋外側からも解錠ボタンを押し込むことで解錠できる。解錠ボタンは、キー操作により押し込み不可能な状態にできるので、防犯性が確保されている。また、屋内側と屋外側の解錠部材は互いに連携させてあり、別々に設けるよりも安上がりである。
【図面の簡単な説明】
【図１】本発明によるシャッターの施錠装置を備えるシャッター装置を屋外側から見た正面図である。
【図２】屋外側の解錠部材を拡大した正面図である。
【図３】（イ）（ロ）図２におけるＡ−Ａ断面図であって、通常時と解錠時の状態を示す。
【図４】（イ）（ロ）ロック機構を屋内側から見た拡大図であって、施錠時と解錠時の状態を示す。
【図５】（イ）（ロ）図４におけるＢ−Ｂ断面図とＣ−Ｃ断面図である。
【符号の説明】
１  シャッター
２  ガイドレール
３  ロック機構
４  解錠部材
５  解錠ボタン
【図１】
0003753001.tif 000002
【図２】
0003753001.tif 000003
【図３】
0003753001.tif 000004
【図４】
0003753001.tif 000005
【図５】
0003753001.tif 000006